(57)【要約】    【課題】  ゴミ袋の入口部を紐で閉鎖し易くし、解け難くする。ゴミ袋に分別して入れたゴミに、入口部を縛る紐によって異物が混入することを防止する。    【解決手段】  可燃ゴミ、不燃ゴミ、使用済のペットボトル、プラスチック製容器や紙製容器などを分別して入れるゴミ袋である。合成樹脂フイルムの表側フイルム１と裏側フイルム２を重ねて溶着し、方形状にし、上側の開口端を入口部４にして下側の閉鎖端を底部にした。ゴミを入口部４から表側フイルム１と裏側フイルム２の間に入れる。入口部４の表側フイルム１と裏側フイルム２は、ミシン目５をゴミ袋の上側縁に沿って設けた。ゴミ袋を閉鎖するときに、ミシン目５に沿って切断し、入口部４を縛る帯状の紐部６を形成する。ミシン目５の途中位置に、指を差し込む指挿入孔７を貫通した。指挿入孔７に指を引っ掛けて指を引くと、ミシン目５が指挿入孔７との交差位置から切れ始める。【選択図】  図１
2005219841.tif 000002
【特許請求の範囲】
【請求項１】
可燃ゴミ、不燃ゴミ、使用済のペットボトル、プラスチック製容器や紙製容器などを分別して入れるゴミ袋において、
合成樹脂フイルムの表側フイルムと裏側フイルムを重ねて溶着し、方形状にし、上側の開口端を入口部にして下側の閉鎖端を底部にし、ゴミを入口部から表側フイルムと裏側フイルムの間に入れる構成にした合成樹脂フイルム製のゴミ袋であって、
入口部の表側フイルムと裏側フイルムは、ミシン目をゴミ袋の上側縁に沿って設け、ゴミ袋を閉鎖するときに、ミシン目に沿って切断し、入口部を縛る帯状の紐部を形成する構成にしたことを特徴とするゴミ袋。
【請求項２】
ミシン目は、ゴミ袋の左右の両端に達しており、紐部をゴミ袋から切り離された状態に形成する構成にしたことを特徴とする請求項１に記載のゴミ袋。
【請求項３】
ミシン目は、ゴミ袋の左端又は右端の片端にのみ達していて、紐部をゴミ袋の入口部に連結した状態に形成する構成にしたことを特徴とする請求項１に記載のゴミ袋。
【請求項４】
可燃ゴミ、不燃ゴミ、使用済のペットボトル、プラスチック製容器や紙製容器などを分別して入れるゴミ袋において、
合成樹脂フイルムの表側フイルムと裏側フイルムを重ねて溶着し、方形状にし、上側の開口端を入口部にして下側の閉鎖端を底部にし、ゴミを入口部から表側フイルムと裏側フイルムの間に入れる構成にした合成樹脂フイルム製のゴミ袋であって、
表側フイルムと裏側フイルムは、横線状に溶着してゴミ袋の底部を構成し、底部を構成する溶着線の下側に帯状部を形成し、
帯状部の表側フイルムと裏側フイルムは、ミシン目をゴミ袋の下側縁に沿って設け、ミシン目は、ゴミ袋の左右の両端に達しており、ゴミ袋を閉鎖するときに、ミシン目に沿って切断し、入口部を縛る帯状の紐部をゴミ袋から切り離された状態に形成する構成にしたことを特徴とするゴミ袋。
【請求項５】
可燃ゴミ、不燃ゴミ、使用済のペットボトル、プラスチック製容器や紙製容器などを分別して入れるゴミ袋において、
合成樹脂フイルムの表側フイルムと裏側フイルムを重ねて溶着し、方形状にし、上側の開口端を入口部にして下側の閉鎖端を底部にし、ゴミを入口部から表側フイルムと裏側フイルムの間に入れる構成にした合成樹脂フイルム製のゴミ袋であって、
表側フイルムと裏側フイルムは、縦線状に溶着してゴミ袋の左側又は右側の側部を構成し、左側又は右側の側部を構成する溶着線の外側に帯状部を形成し、
帯状部の表側フイルムと裏側フイルムは、ミシン目をゴミ袋の左側又は右側の側縁に沿って設け、ミシン目は、ゴミ袋の下端に達しているが、ゴミ袋の上端には達しておらず、ゴミ袋を閉鎖するときに、ミシン目に沿って切断し、入口部を縛る帯状の紐部をゴミ袋の上端に連結した状態に形成する構成にしたことを特徴とするゴミ袋。
【請求項６】
ミシン目は、途中位置の１箇所又は複数箇所に、指を差し込む指挿入孔を貫通しており、指挿入孔に指を引っ掛けて指を引くと、ミシン目が指挿入孔との交差位置から切れ始める構成にしたことを特徴とする請求項１〜６のいずれかに記載のゴミ袋。
【発明の詳細な説明】
【技術分野】
【０００１】
本発明は、可燃ゴミ、不燃ゴミ、使用済のペットボトル、プラスチック製容器や紙製容器などを入れるゴミ袋に関する。
【背景技術】
【０００２】
家庭や事業所で発生する可燃ゴミ、不燃ゴミ、使用済のペットボトル、プラスチック製容器や紙製容器などのゴミは、分別して収集され、別々に処理される。可燃ゴミと不燃ゴミは、それぞれ、廃棄される。使用済のペットボトル、プラスチック製容器や紙製容器は、それぞれ、資源化される。これらのゴミは、分別してゴミ袋に入れる。
【０００３】
ゴミ袋は、ポリエチレンのような合成樹脂フイルム製であり、表側フイルムと裏側フイルムが重なって、扁平である。また、縦長の長方形状であり、上端を入口部にしている。ゴミは、入口部から表側フイルムと裏側フイルムの間に入れる。
【０００４】
ゴミ袋を製造する場合、長い筒形状の合成樹脂フイルムを、二枚重ねの扁平状態で、所定の長さに切断し、一方の開口端を溶着して閉鎖する。その閉鎖端は、ゴミ袋の底部にする。他方の開口端は、開口したままに残し、ゴミ袋の入口部にする。
【０００５】
ゴミ袋を使用する場合、ゴミ袋に可燃ゴミ又はプラスチック製容器などの分別した単一種類のゴミを入れる。ゴミ袋は、ゴミでほぼ一杯になると、閉鎖する。入口部を閉鎖するときは、円環形状に開いた入口部の対面する２箇所を、両手で掴み、先細の紐状にして結ぶ。次に、入口部の他の対面する２箇所を、同様に、両手で掴み、先細の紐状にして結ぶ。即ち、ゴミ袋の入口部を十文字状に結ぶ。又は、ゴミ袋の入口部を絞って小径にし、その小径部を紐で縛ることもある。
【０００６】
ゴミが入ったゴミ袋は、閉鎖された入口部を掴んで持ち上げ、ゴミ置場に運ぶ。ゴミ置場に置かれたゴミ袋は、閉鎖された入口部を掴んで持ち上げ、ゴミ収集車に投げ込む。
【０００７】
可燃ゴミを入れたゴミ袋は、ゴミ焼却場に運ばれ、焼却炉で焼却される。不燃ゴミを入れたゴミ袋は、ゴミ投棄場所に運ばれ、地中に埋められる。使用済のペットボトル又はプラスチック製容器などを入れたゴミ袋は、再生工場に運ばれ、使用済のペットボトル又はプラスチック製容器などが資源化される。
【０００８】
【特許文献１】特開２００２−１７９２０１号公報
【発明の開示】
【発明が解決しようとする課題】
【０００９】
ところが、上記のようなゴミ袋は、ゴミを入れて入口部を十文字状に結ぶ場合、二度結ぶ手間が掛る。その上、円環形状に開いた入口部の対面する２箇所を先細の紐状にして結ぶので、通常の紐を結ぶ場合とは異なり、結び難い。結び目が緩くなることがある。ゴミを入れたゴミ袋は、入口部の結び目が緩いと、入口部を掴んで、持ち上げたり、持ち運んだり、投げ込んだりするとき、入口部の結び目が解け、ゴミ袋が落下し、入口部が開いて内部のゴミがこぼれ出ることがある。
【００１０】
また、ゴミ袋は、ゴミを入れて入口部を紐で縛る場合、ゴミ袋とは別に、入口部を縛る紐を用意する手間が掛る。その上、ゴミが可燃ゴミであって紐が針金のような不燃物であると、可燃ゴミに不燃物が混入することになる。ゴミが使用済のペットボトル、プラスチック製容器又は紙製容器であって紐が針金のような金属であると、ペットボトル、プラスチック製容器又は紙製容器に金属が混入することになる。ゴミ袋に分別して入れたゴミに、入口部を縛る紐によって異物が混入することになる。
【００１１】
［課題を解決するための着想］
１）ゴミを入れたゴミ袋は、入口部を閉鎖する場合、入口部を十文字状に結ぶ方法よりも、紐で縛る方法の方が、作業が容易であって、入口部が解け難い。紐で縛る方法を採用することとした。
【００１２】
そこで、紐をゴミ袋と同じ材質にし、かつ、紐をゴミ袋とは別に用意する手間を省くことを工夫した。ゴミ袋の入口部には、紐部形成用の切取線、ミシン目をゴミ袋の上側縁に沿って設けて置く。ゴミ袋を閉鎖するときに、入口部をミシン目に沿って切断し、入口部を縛る帯状の紐部を形成することとした。
【００１３】
ミシン目は、ゴミ袋の左右の両端に達していて、紐部がゴミ袋から切り離された状態に形成される構成にする。又は、ミシン目は、ゴミ袋の左端又は右端の片端にのみ達していて、紐部がゴミ袋の入口部に連結した状態に形成される構成にする。紐部は、ゴミ袋と連結していると、紛失し難い。
【００１４】
２）ゴミ袋は、寸法が大きく、例えば縦横が８０×６５cm位であり、袋を構成する合成樹脂フイルムが薄手であるので、腰が無い。ゴミ袋の入口部は、腰が無いので、ミシン目があっても、切断し易くはない。
【００１５】
また、ミシン目は、細かい孔の点線状の列であるので、人目に付き難い。その上、ゴミ袋は、内部のゴミを外部から識別するため、透明フイルム製であることが多い。ゴミ袋を閉鎖する人がミシン目を見落として、入口部を切断して紐部を形成することに気付かないこともある。
【００１６】
そこで、ゴミ袋は、ミシン目の途中位置、例えばほぼ中央位置に、指を差し込む指挿入孔を貫通することとした。指挿入孔に指を引っ掛け、指を上側に引く。すると、入口部は、ミシン目が指挿入孔との交差位置から指挿入孔の両側に切れ始め、指挿入孔の両側のミシン目に沿って切断される。切断し易い。
【００１７】
また、指挿入孔は、ミシン目の各孔よりも大きく、人の指が入る寸法であるので、人目に付き易い。入口部をミシン目に沿って切断して紐部を形成することに気付き易い。
【００１８】
３）ゴミ袋の入口部をミシン目に沿って切断して紐部を形成すると、紐部は、ゴミ袋から切り離された状態であっても、ゴミ袋に連結した状態であっても、帯状である上、輪状になる。
【００１９】
紐部は、無端の輪を扁平にし、有端の線状にする。線状の紐部は、帯状の合成樹脂フイルムが折り重なっていて、端が合成樹脂フイルムの折り曲げ端である。一方、ゴミを入れたゴミ袋は、入口部を絞って小径にする。入口部の小径部に線状の紐部を巻き付ける。紐部の一端の折り曲げ端は、他端の折り曲げ端の内側に通し、又は、入口部に巻き付けた中間部分の内側に通し、入口部の外方に突出して引っ張る。すると、入口部が紐部で縛られて締まる。ゴミ袋が閉鎖される。紐部は、一端が入口部の外方に突出する。
【００２０】
ゴミを入れたゴミ袋を持ち上げるときは、入口部の外方に突出した紐部の折り曲げ端に指を引っ掛けて持ち上げる。すると、紐部の突出した端がゴミ袋のゴミの重さで引っ張られる。ゴミ袋の入口部が更に締まる。ゴミを入れたゴミ袋は、入口部の外方に突出した紐部の折り曲げ端に指を引っ掛けた状態で、持ち上げ、持ち運び、投げ込む。入口部が解け難い。
【００２１】
４）紐部形成用のミシン目は、上記のように、ゴミ袋の入口部に設けることの外、底部に設けることを着想した。
【００２２】
ゴミ袋は、底部を構成する溶着線の下側に非溶着の帯状部が存在する。この帯状部を幅広にする。幅広の帯状部に、紐部形成用のミシン目をゴミ袋の下側縁に沿って設ける。このミシン目は、ゴミ袋の左右の両端に達していて、紐部がゴミ袋から切り離された状態に形成される構成にする。また、ミシン目は、途中位置の１箇所又は複数箇所に、指を差し込む指挿入孔を貫通する。
【００２３】
紐部形成用のミシン目を底部の溶着線下側の帯状部に設けた場合、ゴミ袋にゴミを入れたときに、その帯状部は、入口部とは異なり、円環形状に開かないので、ミシン目に沿って切断し易い。紐部を切り取り易い。ゴミ袋の底部から切り取った切り離し型の紐部は、ゴミ袋の入口部から切り取った切り離し型の紐部と同様にして、ゴミ袋の入口部を縛る。
【００２４】
５）また、紐部形成用のミシン目は、ゴミ袋の入口部や底部に代えて、ゴミ袋の左側又は右側の側部に設けることを着想した。
【００２５】
合成樹脂フイルム製のゴミ袋は、左側又は右側の側部を構成する溶着線を設け、その溶着線の外側に幅広の帯状部を設ける。この帯状部に、紐部形成用のミシン目をゴミ袋の左側又は右側の側縁に沿って設ける。このミシン目は、ゴミ袋の下端に達しているが、ゴミ袋の上端には達していない。紐部がゴミ袋の上端に連結した状態に形成される。また、ミシン目は、途中位置に、指を差し込む指挿入孔を貫通する。
【００２６】
紐部形成用のミシン目を左側又は右側の側部の溶着線外側の帯状部に設けた場合、ゴミ袋にゴミを入れたときに、その帯状部は、入口部とは異なり、円環形状に開かないので、ミシン目に沿って切断し易い。紐部を形成し易い。ゴミ袋の側部から形成した連結型の紐部は、ゴミ袋の入口部から形成した連結型の紐部と同様にして、ゴミ袋の入口部を縛る。
【課題を解決するための手段】
【００２７】
１）可燃ゴミ、不燃ゴミ、使用済のペットボトル、プラスチック製容器や紙製容器などを分別して入れるゴミ袋において、
合成樹脂フイルムの表側フイルムと裏側フイルムを重ねて溶着し、長方形状又は正方形状の方形状にし、上側の開口端を入口部にして下側の閉鎖端を底部にし、ゴミを入口部から表側フイルムと裏側フイルムの間に入れる構成にした合成樹脂フイルム製のゴミ袋であって、
入口部の表側フイルムと裏側フイルムは、ミシン目をゴミ袋の上側縁に沿って設け、ゴミ袋を閉鎖するときに、ミシン目に沿って切断し、入口部を縛る帯状の紐部を形成する構成にした。
【００２８】
２）上記１）のゴミ袋において、
ミシン目は、ゴミ袋の左右の両端に達しており、紐部をゴミ袋から切り離された状態に形成する構成にした。
【００２９】
３）上記１）のゴミ袋において、
ミシン目は、ゴミ袋の左端又は右端の片端にのみ達していて、紐部をゴミ袋の入口部に連結した状態に形成する構成にした。
【００３０】
４）可燃ゴミ、不燃ゴミ、使用済のペットボトル、プラスチック製容器や紙製容器などを分別して入れるゴミ袋において、
合成樹脂フイルムの表側フイルムと裏側フイルムを重ねて溶着し、長方形状又は正方形状の方形状にし、上側の開口端を入口部にして下側の閉鎖端を底部にし、ゴミを入口部から表側フイルムと裏側フイルムの間に入れる構成にした合成樹脂フイルム製のゴミ袋であって、
表側フイルムと裏側フイルムは、横線状に溶着してゴミ袋の底部を構成し、底部を構成する溶着線の下側に帯状部を形成し、
帯状部の表側フイルムと裏側フイルムは、ミシン目をゴミ袋の下側縁に沿って設け、ミシン目は、ゴミ袋の左右の両端に達しており、ゴミ袋を閉鎖するときに、ミシン目に沿って切断し、入口部を縛る帯状の紐部をゴミ袋から切り離された状態に形成する構成にした。
【００３１】
５）可燃ゴミ、不燃ゴミ、使用済のペットボトル、プラスチック製容器や紙製容器などを分別して入れるゴミ袋において、
合成樹脂フイルムの表側フイルムと裏側フイルムを重ねて溶着し、長方形状又は正方形状の方形状にし、上側の開口端を入口部にして下側の閉鎖端を底部にし、ゴミを入口部から表側フイルムと裏側フイルムの間に入れる構成にした合成樹脂フイルム製のゴミ袋であって、
表側フイルムと裏側フイルムは、縦線状に溶着してゴミ袋の左側又は右側の側部を構成し、左側又は右側の側部を構成する溶着線の外側に帯状部を形成し、
帯状部の表側フイルムと裏側フイルムは、ミシン目をゴミ袋の左側又は右側の側縁に沿って設け、ミシン目は、ゴミ袋の下端に達しているが、ゴミ袋の上端には達しておらず、ゴミ袋を閉鎖するときに、ミシン目に沿って切断し、入口部を縛る帯状の紐部をゴミ袋の上端に連結した状態に形成する構成にした。
【００３２】
６）上記１）〜５）のいずれかに記載のゴミ袋において、
ミシン目は、途中位置の１箇所又は複数箇所に、指を差し込む指挿入孔を貫通しており、指挿入孔に指を引っ掛けて指を引くと、ミシン目が指挿入孔との交差位置から切れ始める構成にした。
【発明の効果】
【００３３】
ゴミ袋は、可燃ゴミ、不燃ゴミ、使用済のペットボトル、プラスチック製容器や紙製容器などを分別して入れ、入口部を閉鎖する場合、入口部を紐部で縛る。入口部を十文字状に結ぶよりも、作業が容易であって、入口部が解け難い。
【００３４】
入口部を縛る紐部は、ゴミ袋とは別に用意する手間が掛らない上、ゴミ袋と同じ合成樹脂フイルムになる。針金のような紐の使用が防止される。ゴミ袋に分別して入れた可燃ゴミや使用済のペットボトル、プラスチック製容器又は紙製容器などに不燃物や金属などの異物が混入することが防止される。
【００３５】
また、紐部をゴミ袋に連結した状態に形成する構成にした場合、ミシン目が誤って切断されて、紐部が不意に形成されても、紐部は紛失し難い。
【００３６】
また、紐部形成用のミシン目をゴミ袋の底部若しくは左側又は右側の側部に設けた場合、ゴミ袋にゴミを入れたときに、ゴミ袋の底部若しくは側部は、円環形状に開かないので、ミシン目に沿って切断し易い。紐部を形成し易い。
【００３７】
また、紐部形成用のミシン目の途中位置に指挿入孔を貫通した場合、ミシン目に沿って切断し易い。紐部を形成し易い。その上、指挿入孔が人目に付き易い。ミシン目に沿って切断して紐部を形成することに気付き易い。
【発明を実施するための最良の形態】
【００３８】
［第１例（図１〜図６参照）］
本例のゴミ袋は、透明な合成樹脂フイルム製であり、図１に示すように、縦長の長方形状であり、扁平である。筒形状の合成樹脂フイルムを二枚重ね状態に扁平に折り、長い筒形状の合成樹脂フイルムを表側フイルム１と裏側フイルム２の二枚重ね状態で、所定の長さに切断し、一方の開口端を横線状に溶着して溶着線３で閉鎖している。溶着線３で閉鎖した端は、ゴミ袋の下側、底部にしている。上側の開口端は、開口したままに残し、ゴミ袋の入口部４にしている。ゴミは、入口部４から表側フイルム１と裏側フイルム２の間に入れる。
【００３９】
実施例では、ゴミ袋は、材料の合成樹脂フイルムが透明なポリエチレンフイルムであり、縦横の寸法が８５×６５cm位である。
【００４０】
ゴミ袋は、図１に示すように、入口部４の表側フイルム１と裏側フイルム２に、紐部形成用のミシン目５をゴミ袋の上側縁に沿って設けている。ミシン目５は、左右方向に沿い、ゴミ袋の左右の両端に達している。帯状の紐部６がゴミ袋から切り離された状態に形成される。また、入口部４の表側フイルム１と裏側フイルム２には、ミシン目５のほぼ中央位置に、指を差し込む指挿入孔７を貫通している。指挿入孔７は、ミシン目５の各孔よりも大きく、人の指が入る寸法である。ミシン目５は、指挿入孔７で左右に二分されている。
【００４１】
本例のゴミ袋を使用する場合、ゴミ袋に入口部４から可燃ゴミ又はプラスチック製容器などの分別した単一種類のゴミを入れる。ゴミ袋は、ゴミｇでほぼ一杯になると、入口部４を閉鎖する。このとき、図２に示すように、指挿入孔７に指を引っ掛け、指を上側に引く。すると、入口部４は、指挿入孔７とミシン目５との交差位置から指挿入孔７両側のミシン目５に沿って切断される。図３に示すように、帯状の紐部６がゴミ袋から切り離されて形成される。
【００４２】
紐部６は、帯状である上、図４（ａ）に示すように、輪状になる。輪状の紐部６は、同図（ｂ）に示すように、８の字型に捩じり、二つ折りにして、同図（ｃ）に示すように、二重の輪にする。その後、紐部６は、無端の輪を扁平にし、有端の線状にする。線状の紐部６は、帯状の合成樹脂フイルムが折り重なっていて、端が合成樹脂フイルムの折り曲げ端である。
【００４３】
一方、ゴミ袋は、図５に示すように、入口部４を絞って小径にする。その小径部には、線状の紐部６を巻き付ける。ゴミ袋の入口部４に巻き付けた紐部６は、一端の折り曲げ端を、図５に矢印で示すように、他端の折り曲げ端の内側に通し、入口部４の外方に突出して引っ張る。すると、図６に示すように、入口部４が紐部６で縛られて締まる。ゴミｇを入れたゴミ袋が閉鎖される。紐部６は、一端が入口部４の外方に突出する。
【００４４】
ゴミｇを入れたゴミ袋を持ち上げるときは、入口部４の外方に突出した紐部６の折り曲げ端に指を引っ掛けて持ち上げる。すると、紐部６の突出した端がゴミ袋のゴミｇの重さで引っ張られる。ゴミ袋の入口部４が更に締まる。ゴミｇを入れたゴミ袋は、入口部４の外方に突出した紐部６の折り曲げ端に指を引っ掛けた状態で、持ち上げ、持ち運び、投げ込む。入口部４が解け難い。
【００４５】
［第２例（図７〜図１２参照）］
本例のゴミ袋は、紐部形成用のミシン目がゴミ袋の左端又は右端の片端にのみ達していて、紐部がゴミ袋に連結した状態に形成される構成にした。その他の構成は、第１例におけるのと同様である。
【００４６】
ゴミ袋は、図７に示すように、入口部４の表側フイルム１と裏側フイルム２に、ミシン目５をゴミ袋の上側縁に沿って設けている。ミシン目５は、左右方向に沿い、ゴミ袋の左端に達しているが、ゴミ袋の右端には達していない。ミシン目５の右端とゴミ袋の右端との間には、連結部１１がある。紐部１２が連結部１１でゴミ袋の入口部４の右端に連結した状態に形成される。また、入口部４の表側フイルム１裏側フイルム２には、ミシン目５のほぼ中央位置に、指を差し込む指挿入孔７を貫通している。
【００４７】
本例のゴミ袋を使用する場合、ゴミ袋に入口部４から単一種類の分別したゴミを入れる。ゴミ袋は、ゴミｇでほぼ一杯になると、入口部４を閉鎖する。このとき、図８に示すように、指挿入孔７に指を引っ掛け、指を上側に引く。すると、入口部４は、指挿入孔７とミシン目５との交差位置から指挿入孔７両側のミシン目５に沿って切断される。図９に示すように、帯状の紐部１２が連結部１１でゴミ袋の入口部４に連結した状態に形成される。紐部１２は、ゴミ袋と連結しているので、紛失し難い。
【００４８】
紐部１２は、帯状である上、輪状になるが、図１０に示すように、連結部１１を基端にする二つ折りの線状にする。この線状の紐部１２は、帯状の合成樹脂フイルムが折り重なっていて、先端が合成樹脂フイルムの折り曲げ端である。
【００４９】
一方、ゴミ袋は、図１０に示すように、入口部４を絞って小径にする。その小径部には、図１１に示すように、線状の紐部１２を巻き付ける。ゴミ袋の入口部４に巻き付けた紐部１２は、先端を、図１１に矢印で示すように、入口部４に巻き付けた中間部分の内側に通し、入口部４の外方に突出して引っ張る。すると、図１２に示すように、入口部４が紐部１２で縛られて締まる。ゴミｇを入れたゴミ袋が閉鎖される。紐部１２は、先端が入口部４の外方に突出する。
【００５０】
ゴミｇを入れたゴミ袋を持ち上げるときは、入口部４の外方に突出した紐部１２の先端に指を引っ掛けて持ち上げる。すると、紐部１２の先端がゴミ袋のゴミｇの重さで引っ張られる。ゴミ袋の入口部４が更に締まる。
【００５１】
［第３例（図１３〜図１５参照）］
本例のゴミ袋は、紐部形成用のミシン目を、ゴミ袋の上端の入口部に代えて、ゴミ袋の下端の底部に設けた。その他の構成は、第１例におけるのと同様である。
【００５２】
ゴミ袋は、図１３に示すように、底部を構成する溶着線３の下側に非溶着の帯状部２１が存在する。この帯状部２１は、第１例におけるのより幅広にしている。この幅広の帯状部２１は、表側フイルム１と裏側フイルム２に、ミシン目５をゴミ袋の下側縁に沿って設けている。ミシン目５は、左右方向に沿い、ゴミ袋の左右の両端に達している。帯状の紐部２２がゴミ袋から切り離された状態に形成される。また、帯状部２１の表側フイルム１と裏側フイルム２には、ミシン目５のほぼ中央位置に、指を差し込む指挿入孔７を貫通している。
【００５３】
本例のゴミ袋を使用する場合、ゴミ袋に入口部４から単一種類の分別したゴミを入れる。ゴミ袋は、ゴミｇでほぼ一杯になると、入口部４を閉鎖する。このとき、図１４に示すように、片手で入口部４を掴み、他の片手の指を底部の帯状部２１の指挿入孔７に引っ掛け、指を下側に引く。すると、帯状部２１は、ミシン目５に沿って切断される。図１５に示すように、帯状の紐部２２がゴミ袋から切り離されて形成される。ゴミ袋にゴミｇを入れたときに、帯状部２１は、入口部４とは異なり、円環形状に開かないので、ミシン目５に沿って切断し易い。紐部２２を切り取り易い。
【００５４】
ゴミ袋の底部から切り取った切り離し型の紐部２２は、第１例におけるゴミ袋の入口部４から切り取った切り離し型の紐部６と同様にして、ゴミ袋の入口部４を縛る。
【００５５】
［第４例（図１６参照）］
本例のゴミ袋は、紐部形成用のミシン目を、ゴミ袋の入口部や底部に代えて、ゴミ袋の左側又は右側の側部に設けた。また、材料の合成樹脂フイルムは、筒形状のものに代えて、帯形状のものにした。
【００５６】
帯形状の透明な合成樹脂フイルムは、二つ折りにして半幅にし、半幅の帯形状の透明な合成樹脂フイルムを表側フイルム１と裏側フイルム２の二枚重ね状態で、所定の長さに切断している。正方形状又は長方形状の表側フイルム１と裏側フイルム２は、二枚重ね状態で、図１６に示すように、合成樹脂フイルムの折り線に隣接する一方の端を、横線状に溶着し、横線状の溶着線３で閉鎖している。溶着線３で閉鎖した端は、ゴミ袋の下側、底部にしている。
【００５７】
また、表側フイルム１と裏側フイルム２は、合成樹脂フイルムの折り線に対面する側部を、縦線状に溶着し、縦線状の溶着線３１で閉鎖している。溶着線３１で閉鎖した側部は、ゴミ袋の左側部にしている。上側の開口端は、未溶着のままに残し、ゴミ袋の入口部４にしている。
【００５８】
ゴミ袋は、図１６に示すように、左側部を構成する溶着線３１の外側に非溶着の幅広の帯状部３２が存在する。この帯状部３２は、表側フイルム１と裏側フイルム２に、ミシン目５をゴミ袋の左側縁に沿って設けている。ミシン目５は、上下方向に沿い、ゴミ袋の下端に達しているが、ゴミ袋の上端には達していない。ミシン目５の上端とゴミ袋の上端との間には、連結部３３がある。紐部３４がゴミ袋の上端に連結した状態に形成される。また、帯状部３２の表側フイルム１と裏側フイルム２には、ミシン目５の途中位置に、指を差し込む指挿入孔７を貫通している。指挿入孔７は、２個であり、ミシン目５上の離れた上下位置に配置している。
【００５９】
本例のゴミ袋を閉鎖するときは、上側又は下側の指挿入孔７に指を引っ掛け、指を外側に引く。すると、帯状部３２は、ミシン目５に沿って切断される。帯状の紐部３４が連結部３３でゴミ袋の上端、入口部４に連結した状態に形成される。ゴミ袋にゴミを入れたときに、帯状部３２は、入口部４とは異なり、円環形状に開かないので、ミシン目５に沿って切断し易い。紐部３４を形成し易い。
【００６０】
ゴミ袋の左側部から形成した連結型の紐部３４は、第２例におけるゴミ袋の入口部４から形成した連結型の紐部１２と同様にして、ゴミ袋の入口部４を縛る。
【産業上の利用可能性】
【００６１】
本発明は、家庭や事業所において、可燃ゴミ、不燃ゴミ、使用済のペットボトル、プラスチック製容器や紙製容器などを分別して入れるゴミ袋に利用される。
【図面の簡単な説明】
【００６２】
【図１】本発明の実施形態の第１例におけるゴミ袋の一部破断正面図。
【図２】同例においてゴミを入れたゴミ袋の指挿入孔に指を引っ掛けた状態を示す説明図。
【図３】同例においてゴミを入れたゴミ袋から紐部を切り離した状態を示す説明図。
【図４】同例において紐部を二重の輪にする手順を示す説明図。
【図５】同例においてゴミ袋の入口部を絞って紐部を巻き付ける状態を示す説明図。
【図６】同例においてゴミ袋の入口部が紐部で縛られた状態を示す説明図。
【図７】実施形態の第２例におけるゴミ袋の一部破断正面図。
【図８】同例においてゴミを入れたゴミ袋の指挿入孔に指を引っ掛けた状態を示す説明図。
【図９】同例においてゴミを入れたゴミ袋から紐部を形成した状態を示す説明図。
【図１０】同例においてゴミ袋の入口部を絞った状態を示す説明図。
【図１１】同例においてゴミ袋の入口部に紐部を巻き付ける状態を示す説明図。
【図１２】同例においてゴミ袋の入口部が紐部で縛られた状態を示す説明図。
【図１３】実施形態の第３例におけるゴミ袋の一部破断正面図。
【図１４】同例においてゴミを入れたゴミ袋の指挿入孔に指を引っ掛けた状態を示す説明図。
【図１５】同例においてゴミを入れたゴミ袋から紐部を切り離した状態を示す説明図。
【図１６】実施形態の第４例におけるゴミ袋の一部破断正面図。
【符号の説明】
【００６３】
１  ゴミ袋の表側フイルム
２  ゴミ袋の裏側フイルム
３  ゴミ袋の底部の溶着線
４  ゴミ袋の入口部
５  紐部形成用のミシン目
６  入口部の切り離し型の紐部
７  入口部の指挿入孔
ｇ  ゴミ
１１  ゴミ袋と紐部の連結部
１２  入口部の連結型の紐部
２１  ゴミ袋の底部の帯状部
２２  底部の切り離し型の紐部
３１  ゴミ袋の左側部の溶着線
３２  ゴミ袋の左側部の帯状部
３３  ゴミ袋と紐部の連結部
３４  左側部の連結型の紐部
【図１】
2005219841.tif 000003
【図２】
2005219841.tif 000004
【図３】
2005219841.tif 000005
【図４】
2005219841.tif 000006
【図５】
2005219841.tif 000007
【図６】
2005219841.tif 000008
【図７】
2005219841.tif 000009
【図８】
2005219841.tif 000010
【図９】
2005219841.tif 000011
【図１０】
2005219841.tif 000012
【図１１】
2005219841.tif 000013
【図１２】
2005219841.tif 000014
【図１３】
2005219841.tif 000015
【図１４】
2005219841.tif 000016
【図１５】
2005219841.tif 000017
【図１６】
2005219841.tif 000018